(57)【要約】【課題】使用者が集塵袋に触れることなく、集塵袋を集塵室から容易に取り出すことが可能な電気掃除機を提案する。【解決手段】電気掃除機１は、ホルダ本体４３と、一対の支持アーム４４と、集塵袋クランプ部４５と、ハンドル部４６とを備えた集塵袋ホルダ１６を有する。集塵袋ホルダ１６のホルダ本体４３は集塵室下部２３の前壁部２５に沿って位置される。ハンドル部４６および集塵袋クランプ部４５は、掃除機本体２の上方側に位置される。支持アーム４４のレール４８は、集塵袋１５の口板３９が掃除機本体２の略上下方向に摺動可能な方向に向けられる。【選択図】  図２
2009297154.tif 000002
【特許請求の範囲】
【請求項１】
掃除機本体と、
前記掃除機本体に形成された集塵室と、
前記集塵室に着脱自在に取り付けられた集塵袋ホルダと、
前記集塵袋ホルダに着脱自在に保持され、前記集塵室に収容された集塵袋と、
前記集塵袋ホルダに形成され、前記集塵袋の口板を摺動自在に保持した一対の支持アームと、
前記集塵袋ホルダに設けられ、前記支持アームに挿入された前記口板を着脱自在に保持した集塵袋クランプ部と、を備え、
前記集塵袋ホルダの着脱方向は、前記掃除機本体の略上下方向であり、
前記支持アームは、前記口板を前記掃除機本体の略上下方向に摺動自在に保持し、
前記集塵袋クランプ部は前記集塵室の上方側に位置されたことを特徴とする電気掃除機。
【請求項２】
前記集塵室を覆う蓋体と、
一対の前記支持アームに架設され、前記蓋体の開閉にともなって前記掃除機本体の上下方向に出没するハンドル部とを備えることを特徴とする請求項１に記載の電気掃除機。
【請求項３】
前記蓋体は、前記ハンドル部および前記集塵袋クランプ部の収容部が区画されたリブを備えることを特徴とする請求項２に記載の電気掃除機。
【発明の詳細な説明】
【技術分野】
【０００１】
本発明は、掃除機本体に形成された集塵室内に、集塵袋ホルダを介して着脱自在に収容された集塵袋を備えた電気掃除機に関する。
【背景技術】
【０００２】
従来から、掃除機本体に形成された集塵室内に、集塵袋ホルダを介して着脱自在に収容された集塵袋を備えた電気掃除機が知られている。
【０００３】
特許文献１に記載の電気掃除機は、集塵袋の口板を着脱自在なホルダ本体と、ホルダ本体の着脱開口に設けられた開閉蓋とを有する集塵袋ホルダを備える。この集塵袋ホルダは、開閉蓋を開くと着脱開口から集塵袋を廃棄できる。集塵袋ホルダが電気掃除機本体に収容されると、着脱開口は略下方に向けられる。
【特許文献１】特開２００６−２３８９９３号公報
【発明の開示】
【発明が解決しようとする課題】
【０００４】
従来の電気掃除機の使用者は、塵埃を捕集した集塵袋を廃棄するとき、集塵袋の口板または集塵袋ホルダを把持して、集塵袋ホルダとともに集塵袋を集塵室から取り出す。次いで、集塵袋ホルダを把持し、開閉蓋を開いて集塵袋を廃棄する。
【０００５】
このとき、従来の電気掃除機の使用者は、集塵袋ホルダおよび集塵袋を取り扱う際に集塵袋の口板または集塵袋ホルダを複数回にわたって持ち替える必要があった。すなわち、従来の電気掃除機では、塵埃を捕集した集塵袋を廃棄するときの集塵袋の取り扱いが煩わしかった。また、従来の電気掃除機では、塵埃を捕集した集塵袋を廃棄するときに、集塵袋ホルダまたは集塵袋に把持位置を変更する度に集塵袋から塵埃がこぼれだす虞もあった。
【０００６】
本発明は、使用者が集塵袋に触れることなく、集塵袋を集塵室から容易に取り出すことが可能な電気掃除機を提案する。
【課題を解決するための手段】
【０００７】
前記の課題を解決するため本発明では、掃除機本体と、前記掃除機本体に形成された集塵室と、前記集塵室に着脱自在に取り付けられた集塵袋ホルダと、前記集塵袋ホルダに着脱自在に保持され、前記集塵室に収容された集塵袋と、前記集塵袋ホルダに形成され、前記集塵袋の口板を摺動自在に保持した一対の支持アームと、前記集塵袋ホルダに設けられ、前記支持アームに挿入された前記口板を着脱自在に保持した集塵袋クランプ部と、を備え、前記集塵袋ホルダは、前記掃除機本体の上下方向に着脱可能であり、前記支持アームは、前記口板を前記掃除機本体の略上下方向に摺動自在に保持し、前記集塵袋クランプ部は前記集塵室の上方側に位置されたことを特徴とする。
【発明の効果】
【０００８】
本発明によれば、使用者が集塵袋に触れることなく、集塵袋を集塵室から容易に取り出すことが可能な電気掃除機を提供できる。
【発明を実施するための最良の形態】
【０００９】
本発明に係る電気掃除機の実施形態について、図１から図３を参照して説明する。
【００１０】
図１は、本発明に係る電気掃除機の外観を示した図である。
【００１１】
図１に示すように、本実施形態に係る電気掃除機１は、掃除機本体２と、集塵ホース３と、手元操作管４と、握部５と、操作部６と、延長管７と、吸込口体８とを備える。
【００１２】
掃除機本体２には接続口２ａが形成される。掃除機本体２の内部には集塵室１０が形成される。また、掃除機本体２の内部には集塵装置１１と、電動送風機１３とが収容される。掃除機本体２には電動送風機１３の排気を吐出させる本体排気口（図示省略）が形成される。電動送風機１３は集塵室１０に連通される。集塵室１０は接続口２ａに連通される。接続口２ａは集塵室１０と掃除機本体２の外部とを連通させる。
【００１３】
集塵装置１１は集塵室１０に着脱自在に収容される。集塵装置１１は集塵袋１５と、集塵袋ホルダ１６とから構成される。集塵袋１５は接続口２ａに連通される。電動送風機１３は、集塵室１０および集塵袋１５を介して接続口２ａに負圧を作用させる。
【００１４】
集塵ホース３は可撓性を有し、湾曲可能な細長略円筒状に形成される。集塵ホース３の一端は接続口２ａに着脱自在に接続されて、掃除機本体２の内部に連通される。
【００１５】
手元操作管４の一端は集塵ホース３の他端に設けられ、集塵ホース３を介して掃除機本体２の内部に連通される。
【００１６】
握部５は電気掃除機１の使用者が把持して電気掃除機１を操作するものである。
【００１７】
操作部６は握部５に設けられる。操作部６が電気掃除機１の使用者に操作されると、電気掃除機１は複数の駆動モードに設定される。
【００１８】
延長管７は、伸縮可能な細長略円筒状に形成される。延長管７の一端は手元操作管４の他端に着脱自在に接続されて、手元操作管４および集塵ホース３を介して掃除機本体２の内部に連通される。
【００１９】
吸込口体８は、延長管７の一端に着脱自在に接続されて延長管７、手元操作管４および集塵ホース３を介して掃除機本体２の内部に連通される。吸込口体８は、床などの被掃除面に配置される。吸込口体８は握部５から加えられた駆動力によって被掃除面を走行する。
【００２０】
電気掃除機１を運転すると、電動送風機１３が作動して、掃除機本体２の内部に負圧が作用する。この負圧は接続口２ａから集塵ホース３と手元操作管４と延長管７とを経て吸込口体８に作用する。そうすると、電気掃除機１は吸込口体８から空気とともに床などの被掃除面に溜まった塵埃を吸い込んで被掃除面を掃除する。吸込口体８に吸い込まれた含塵空気は、掃除機本体２に収容された集塵袋１５によって空気と塵埃とに分離される。分離された塵埃は集塵袋１５に捕集される。他方、分離された空気は、電動送風機１３に吸い込まれて、掃除機本体２の本体排気口から吐出される。
【００２１】
図２は、本発明に係る電気掃除機の掃除機本体を示した断面図である。
【００２２】
図２に示すように、掃除機本体２は床面などの被掃除面Ｆ上を走行可能な、いわゆるキャニスタ型の電気掃除機の掃除機本体である。
【００２３】
なお、説明を容易にするために以下、図２に示す姿勢を掃除機本体の基本姿勢とし、接続口２ａが位置する部分を前部、電動送風機１３が位置する部分を後部、被掃除面Ｆに対向して位置する部分を下部とし、さらに後部から前部を見た状態で上下および左右の方向説明を行う。
【００２４】
掃除機本体２は本体ケース２０と蓋体２１とを有する。蓋体２１は本体ケース２０の前方上部に設けられる。
【００２５】
本体ケース２０の前部には、前後方向に向けて接続口２ａが形成される。
【００２６】
本体ケース２０の内部のうち前後方向の中央部分よりも若干後側に偏位した部分には、電動送風機１３が収容される。
【００２７】
本体ケース２０の内部のうち前部には、集塵室下部２３が形成される。集塵室下部２３は上部に集塵室上部開口２４を有する凹部である。集塵室下部２３は、接続口２ａが形成された前壁部２５と、電動送風機１３の吸込側に連通された孔部２６を有する後壁部２７と、前後方向に延ばされた左右一対の側壁部２８と、前後方向に延ばされて下方に位置された底壁部２９とを有する。集塵室上部開口２４は開閉可能な蓋体２１に覆われる。蓋体２１が閉じられると、集塵室上部開口２４は蓋体２１に気密に覆われる。蓋体２１と集塵室下部２３とによって集塵室１０が区画される。集塵室１０には、集塵装置１１が着脱自在に収容される。
【００２８】
前壁部２５には吸込口３２が形成される。吸込口３２は円形の開口である。吸込口３２の周縁部には環状パッキン３３が取り付けられる。吸込口３２は接続口２ａに連通される。
【００２９】
吸込口３２の下方であり底壁部２９の前側には、支持リブ３４が設けられる。支持リブ３４は、掃除機本体２の左右方向（幅方向）に離間させて左右一対に設けられる。それぞれの支持リブ３４は前壁部２５から連続させて後方に延ばされる。一対の支持リブ３４は、互いにほぼ平行に並設される。それぞれの支持リブ３４には、前端部に前壁部２５から連続した切欠部３５が形成される。
【００３０】
一対の支持リブ３４の間には、連結リブ３７が設けられる。連結リブ３７は、それぞれの支持リブ３４とほぼ直交する方向に延ばされて位置される。連結リブ３７は一対の支持リブ３４を互いに連結する。連結リブ３７は切欠部３５の後縁に位置する。
【００３１】
それぞれの側壁部２８には、規制突起３８が形成される。規制突起３８は、集塵室１０の内部に向けて左右方向に延ばされる。そして、それぞれの規制突起３８は、吸込口３２の右方および左方の高さ位置から底壁部２９に亘って形成される。
【００３２】
集塵装置１１は集塵袋１５と、集塵袋ホルダ１６とから構成される。
【００３３】
集塵袋１５は口板３９と、袋体４０とを備える。口板３９と袋体４０とは、例えば接着剤などで固着されて一体的に構成される。
【００３４】
口板３９は、例えばボール紙などの厚紙により形成される。また、口板３９は正面視四角形状に形成される。口板３９の中央部には、丸孔状の吸込開口４１が設けられる。
【００３５】
袋体４０は、シート状のフィルタ体を袋状に形成したものである。シート状のフィルタ体は、例えばパルプと合成繊維とで形成された不織布などの通気性素材を複数層に重ねて形成される。袋体４０は折り畳むことができる。
【００３６】
集塵装置１１が集塵室１０に取り付けられると、口板３９が環状パッキン３３に当接される。環状パッキン３３は、吸込開口４１の周縁に沿わせて当接される。袋体４０は吸込開口４１および吸込口３２を介して接続口２ａに気密に連通される。
【００３７】
集塵袋ホルダ１６は本体ケース２０の集塵室下部２３に集塵袋１５を着脱自在に保持する。また、集塵袋ホルダ１６は集塵室下部２３に着脱自在に取り付けられる。さらに、集塵袋ホルダ１６は集塵袋１５の口板３９を着脱自在に保持する。集塵袋１５は集塵袋ホルダ１６を介して集塵室下部２３に設けられる。
【００３８】
図３は、本発明に係る電気掃除機の集塵袋ホルダを示した正面図である。
【００３９】
図２および図３に示すように、集塵袋ホルダ１６は、ホルダ本体４３と、一対の支持アーム４４と、集塵袋クランプ部４５と、ハンドル部４６とを備える。
【００４０】
ホルダ本体４３は略楕円形状の板状に形成される。ホルダ本体４３の略楕円形状面のほぼ中央には、貫通孔４７が形成される。貫通孔４７は、本体ケース２０の前壁部２５に設けられた環状パッキン３３よりも若干大きく開口される。集塵袋ホルダ１６が本体ケース２０の集塵室下部２３に装着されると、環状パッキン３３は貫通孔４７に嵌め込まれる。
【００４１】
支持アーム４４は、ホルダ本体４３の略楕円形状面の長径のそれぞれの端部に設けられる。それぞれの支持アーム４４は、互いに集塵袋１５の口板３９の長辺または短辺のいずれかよりも若干大きく離間させて設けられる。それぞれの支持アーム４４は、ホルダ本体４３の略楕円形状面の面外方向の一方向に突出させて形成される。それぞれの支持アーム４４にはレール４８が形成される。一対のレール４８は集塵袋１５の口板３９を、ホルダ本体４３の略楕円形状面に沿って、略楕円形状面の短径の方向に摺動自在に保持する。
【００４２】
それぞれのレール４８は、互いに近接する方向に突出させて形成される。それぞれのレール４８とホルダ本体４３との間は、集塵袋１５の口板３９の厚みよりも若干大きく離間させて形成される。すなわち、支持アーム４４は、集塵袋１５の口板３９を、ホルダ本体４３の略楕円形状面に沿って、略楕円形状面の短径の方向に摺動自在に保持する。
【００４３】
集塵袋クランプ部４５は、レール４８に挿入された口板３９を保持する。すなわち、集塵袋クランプ部４５は、集塵袋ホルダ１６に挿入された集塵袋１５の摺動を拘束する。集塵袋クランプ部４５は、ホルダ本体４３の略楕円形状面の短径の一方の端部に設けられる。ホルダ本体４３の略楕円形状面の短径の一方の端部には、軸受部５０が形成される。軸受部５０は、ホルダ本体４３の略楕円形状面の面外方向の他方向、すなわち支持アーム４４の反対方向に突出させて形成される。集塵袋クランプ部４５は、ホルダ本体４３に形成された軸受部５０に回動自在に軸支される。また、集塵袋クランプ部４５は、バネなどの弾性部材（図示省略）によって回動力が付勢される。集塵袋クランプ部４５に与えられた回動力は、口板３９をホルダ本体４３の略楕円形状面に押さえつける方向に働く。具体的には、ホルダ本体４３の略楕円形状面の面外方向の他方向、すなわち支持アーム４４の反対方向に向けて集塵袋クランプ部４５を回動させる回動力が加えられる。
【００４４】
また、集塵袋クランプ部４５は、回動軸５１と、口板係止爪部５２と、操作突起５３とを備える。
【００４５】
回動軸５１は、ホルダ本体４３の軸受部５０に軸支される。集塵袋クランプ部４５は、回動軸５１の回りに回動できる。
【００４６】
口板係止爪部５２は鉤形状に形成される。口板係止爪部５２は集塵袋１５の口板３９に掛けられる。そうすると、口板係止爪部５２とホルダ本体４３の略楕円形状面との間で集塵袋１５の口板３９が保持されるとともに、口板３９の摺動が規制される。
【００４７】
操作突起５３は、口板係止爪部５２を口板３９に掛ける際に、集塵袋クランプ部４５を回動させる操作力の入力部である。また、操作突起５３は、回動軸５１から所望に離間させて設けられる。
【００４８】
操作突起５３が操作されると、口板３９から口板係止爪部５２の保持が解除される。そうすると、集塵袋１５を集塵袋ホルダ１６から離脱できる。このとき、集塵袋１５の口板３９はレール４８に沿ってホルダ本体４３の略楕円形状面の短径の他方の端部の方向に離脱できる。
【００４９】
ハンドル部４６は門形に形成される。一対の支持アーム４４の間に架設され、支持アーム４４のレール４８に沿う方向に摺動できる。ハンドル部４６は集塵袋クランプ部４５が設けられたホルダ本体４３の略楕円形状面の短径の一方の端部側に設けられる。ハンドル部４６には、弾性部材（図示省略）によってホルダ本体４３から離間させる方向に付勢される。
【００５０】
すなわち、集塵袋ホルダ１６は、ホルダ本体４３の略楕円形状面の短径の方向に略平行な一対のレール４８を備え、ホルダ本体４３の略楕円形状面の中心から見て短径の一方の側にハンドル部４６および集塵部クランプ部５５を備え、短径の一方の側に集塵袋１５の口板３９をレール４８に沿わせて着脱できる。
【００５１】
集塵装置１１が掃除機本体２に収容されると、集塵袋ホルダ１６のホルダ本体４３は集塵室下部２３の前壁部２５に沿って位置される。支持アーム４４は集塵室下部２３の後方に向いて突出させて位置される。このとき、ハンドル部４６および集塵袋クランプ部４５は、掃除機本体２の上方側にあたる集塵室上部開口２４の近傍に位置される。支持アーム４４のレール４８は、集塵袋１５の口板３９が掃除機本体２の略上下方向に摺動可能な方向に向けられる。
【００５２】
一対の支持アーム４４は集塵室下部２３のそれぞれの側壁部２８に沿って位置される。すなわち、集塵袋ホルダ１６は集塵室下部２３の側壁部２８に挟持される。側壁部２８は集塵袋ホルダ１６の左右方向の変位を拘束する。
【００５３】
支持アーム４４にはホルダ本体４３の略楕円形状面の面外方向の一方向に突出させて凸部５６が形成される。凸部５６は、側壁部２８の規制突起３８に当接される。すなわち、集塵袋ホルダ１６は集塵室下部２３の前壁部２５と側壁部２８の規制突起３８との間に挟持される。前壁部２５および側壁部２８の規制突起３８は集塵袋ホルダ１６の前後方向の変位を拘束する。
【００５４】
集塵袋ホルダ１６は、集塵室下部２３内で前後左右方向の変位を拘束され、集塵室下部２３の底壁部２９によって上下方向に保持される。すなわち集塵袋ホルダ１６は、掃除機本体２の集塵室上部開口２４から略上下方向に挿抜することで集塵室下部２３内に着脱できる。
【００５５】
ハンドル部４６は、本体ケース２０の集塵室上部開口２４を覆う蓋体２１によって下方に押し下げられる。また、ハンドル部４６は、蓋体２１を開くと集塵室上部開口２４から突出する。すなわち、ハンドル部４６は、蓋体２１の開閉にともなって集塵室上部開口２４から出没する。
【００５６】
蓋体２１には、ハンドル収容部区画リブ５８が設けられる。ハンドル収容部区画リブ５８は、蓋体２１のうち集塵室１０の内側に位置させて下方に向けて延ばされる。ハンドル部４６および集塵袋クランプ部４５は、ハンドル収容部区画リブ５８に覆われて、ハンドル収容部５９に収容される。ハンドル収容部５９は集塵室１０の内部に区画された空間である。ハンドル収容部５９は、集塵袋１５の袋体４０を通過して集塵室１０内に流れ込む空気が入り込みにくい袋小路状の空間である。
【００５７】
集塵袋ホルダ１６に装着された集塵袋１５の口板３９は、前壁部２５の吸込口３２に設けられた環状パッキン３３に当接される。環状パッキン３３は、口板３９の吸込開口４１の周縁に沿って当接される。口板３９の下端部は、集塵室下部２３の底壁部２９に形成された連結リブ３７および切欠部３５とホルダ本体４３との間に挟持される。
【００５８】
次に、本実施形態に係る電気掃除機１の掃除動作を説明する。
【００５９】
電気掃除機１の使用者は、まず、掃除機本体２の接続口２ａに集塵ホース３を接続する。ついで、手元操作管４に延長管７を接続する。さらに、延長管７に吸込口体８を接続する。
【００６０】
次に、電気掃除機１の使用者は、掃除機本体２から電源コード（図示省略）を引き出して、この電源コードを商用電源を供給するコンセント（図示省略）に接続する。
【００６１】
電気掃除機１の使用者は、握部５を把持して、吸込口体８を略水平な床面などの被掃除面に配置する。
【００６２】
次に、電気掃除機１の使用者は、握部５を把持して操作部６を操作する。そうすると、操作部６で設定された動作モードに応じて電動送風機１３が作動する。
【００６３】
次いで、電気掃除機１の使用者は、握部５を把持して駆動力を加える。そうすると、吸込口体８は被掃除面上を前後に走行する。被掃除面の塵埃が空気とともに吸込口体８に吸い込まれる。
【００６４】
吸込口体８に吸い込まれた含塵空気は、延長管７と手元操作管４と集塵ホース３とを順次に通過した後、掃除機本体２の接続口２ａに案内される。次に、含塵空気は、掃除機本体２の内部に吸い込まれる。掃除機本体２の内部では、吸込口３２から集塵袋１５の吸込開口４１を経て集塵袋１５の袋体４０に案内される。
【００６５】
含塵空気に含まれた塵埃は、集塵室１０に収容された集塵袋１５の袋体４０で捕集される。
【００６６】
塵埃が分離された空気は、電動送風機１３に吸気されて排気風となり、本体排気口から掃除機本体２の外部に排気される。
【００６７】
ここで、掃除が進み、袋体４０に十分な量の塵埃が溜まると、集塵室１０から集塵袋１５を廃棄する必要が生じる。
【００６８】
電気掃除機１の使用者は、先ず、掃除機本体２の集塵室上部開口２４を覆う蓋体２１を開ける。そうすると、集塵袋ホルダ１６のハンドル部４６が集塵室下部２３の上方に伸展される。
【００６９】
次に、電気掃除機１の使用者は、ハンドル部４６を把持して集塵袋ホルダ１６および集塵袋１５を集塵室１０から取り出す。このとき、電気掃除機１の使用者は、掃除機本体２の下方から上方に向けて集塵袋ホルダ１６を集塵室１０から取り出す。
【００７０】
そして、電気掃除機１の使用者は、例えばごみ箱などの上方で集塵袋ホルダ１６の集塵袋クランプ部４５を回動させる。電気掃除機１の使用者は、一端把持したハンドル部４６を持ち替えることなく、ゴミ箱などの上方に集塵袋ホルダ１６および集塵袋１５を移動できる。また、集塵袋ホルダ１６および集塵袋１５は掃除機本体２の集塵室１０に収容されていた姿勢を保ったままゴミ箱などの上方に移動される。そうすると、集塵袋クランプ部４５のレール４８は略鉛直軸に沿う方向に位置される。
【００７１】
次に、電気掃除機１の使用者は、ハンドル部４６把持したまま、集塵袋クランプ部４５の操作突起５３に操作力を加える。集塵袋１５の口板３９から口板係止爪部５２の保持が解除される。集塵袋１５は、レール４８に沿って摺動し始め、略鉛直下方に落下する。そして、集塵袋はゴミ箱の中に廃棄される。
【００７２】
電気掃除機１の使用者は、使用済みの集塵袋１５を廃棄すると、新しい集塵袋１５を掃除機本体２に装着する必要がある。
【００７３】
電気掃除機１の使用者は、先ず、集塵袋ホルダ１６のハンドル部４６を把持する。
【００７４】
次に、電気掃除機１の使用者は、新しい集塵袋１５の口板３９を集塵袋クランプ部４５のレール４８に挿入する。
【００７５】
次に、電気掃除機１の使用者は、集塵袋クランプ部４５の操作突起５３に操作力を加える。電気掃除機１の使用者は、集塵袋クランプ部４５を回動して集塵袋１５の口板３９に口板係止爪部５２を掛ける。そうすると、集塵袋ホルダ１６に集塵袋１５が保持される。このとき、電気掃除機１の使用者は、一方の腕で集塵袋ホルダ１６を操作し、他方の腕で集塵袋１５を保持位置に移動できる。
【００７６】
次に、電気掃除機１の使用者は、掃除機本体２の集塵室上部開口２４を覆う蓋体２１を開ける。
【００７７】
次に、電気掃除機１の使用者は、ハンドル部４６を把持したまま、集塵袋ホルダ１６および集塵袋１５を集塵室１０に装着する。このとき、電気掃除機１の使用者は、掃除機本体２の上方から下方に向けて集塵袋ホルダ１６を集塵室１０に装着する。
【００７８】
次に、電気掃除機１の使用者は、手をハンドル部４６から離して蓋体２１を閉じる。蓋体２１が閉じられると、掃除機本体２の集塵室上部開口２４が覆われて、新しい集塵袋１５が掃除機本体２に装着される。このとき、ハンドル部４６は、蓋体２１で押し込まれてハンドル収容部５９に位置される。集塵袋クランプ部４５もハンドル部４６とともにハンドル収容部５９に位置される。
【００７９】
本実施形態に係る電気掃除機１によれば、電気掃除機１の使用者は、集塵袋ホルダ１６のハンドル部４６と集塵袋クランプ部４５とを用いて、集塵袋ホルダ１６および集塵袋１５を容易に取り扱うことができる。具体的には、電気掃除機１の使用者は、ハンドル部４６を把持することで、集塵袋ホルダ１６および集塵袋１５を掃除機本体２から取り出し、集塵袋ホルダ１６および集塵袋１５を運搬し、集塵袋ホルダ１６および集塵袋１５を掃除機本体２に取り付けることができる。また、電気掃除機１の使用者は、集塵袋クランプ部４５を操作することで、集塵袋ホルダ１６から集塵袋１５を廃棄し、集塵袋ホルダ１６に集塵袋１５を取り付けることができる。
【００８０】
すなわち、電気掃除機１の使用者は、集塵袋ホルダ１６および集塵袋１５を取り扱う際に、集塵袋１５の口板３９または集塵袋ホルダ１６を複数回にわたって持ち替える必要がない。電気掃除機１は、塵埃を捕集した集塵袋１５を廃棄するときの取り扱いが容易である。
【００８１】
また、本実施形態に係る電気掃除機１によれば、電気掃除機１の使用者は、集塵袋ホルダ１６のハンドル部４６を一旦把持すれば、集塵袋ホルダ１６および集塵袋１５を掃除機本体２から取り出し、運搬し、集塵袋ホルダ１６から集塵袋１５を廃棄するまで、集塵袋ホルダ１６および集塵袋１５の姿勢を変更する必要がない。したがって、塵埃を捕集した集塵袋１５を廃棄するときに、集塵袋１５から塵埃がこぼれださない。
【００８２】
さらに、本実施形態に係る電気掃除機１は、集塵袋ホルダ１６のハンドル部４６は、蓋体２１のハンドル収容部５９に位置される。ここで、集塵袋１５および集塵袋ホルダ１６は掃除機本体２の集塵室１０内に位置されるので、集塵袋１５の袋体４０を通過する細塵の付着を防ぐことは困難である。しかし、ハンドル部４６および集塵袋クランプ部４５はハンドル収容部５９に位置されるので、空気の流れとともに流動する細塵が付着し難い。したがって、本実施形態に係る電気掃除機１によれば、電気掃除機１の使用者は、手を清潔に保ったままで集塵袋ホルダ１６および集塵袋１５を取り扱うことができる。
【００８３】
すなわち、本発明に係る電気掃除機１によれば、使用者が集塵袋１５に触れることなく、集塵袋１５を集塵室１０から容易に取り出すことが可能である。
【図面の簡単な説明】
【００８４】
【図１】本発明に係る電気掃除機の外観を示した図。
【図２】本発明に係る電気掃除機の掃除機本体を示した断面図。
【図３】本発明に係る電気掃除機の集塵袋ホルダを示した正面図。
【符号の説明】
【００８５】
１  電気掃除機
２  掃除機本体
２ａ  接続口
３  集塵ホース
４  手元操作管
５  握部
６  操作部
７  延長管
８  吸込口体
１０  集塵室
１１  集塵装置
１３  電動送風機
１５  集塵袋
１６  集塵袋ホルダ
２０  本体ケース
２１  蓋体
２３  集塵室下部
２４  集塵室上部開口
２５  前壁部
２６  孔部
２７  後壁部
２８  側壁部
２９  底壁部
３２  吸込口
３３  環状パッキン
３４  支持リブ
３５  切欠部
３７  連結リブ
３８  規制突起
３９  口板
４０  袋体
４１  吸込開口
４３  ホルダ本体
４４  支持アーム
４５  集塵袋クランプ部
４６  ハンドル部
４７  貫通孔
４８  レール
５０  軸受部
５１  回動軸
５２  口板係止爪部
５３  操作突起
５５  集塵部クランプ部
５６  凸部
５８  ハンドル収容部区画リブ
５９  ハンドル収容部
【図１】
2009297154.tif 000003
【図２】
2009297154.tif 000004
【図３】
2009297154.tif 000005